(57)【要約】【課題】印字品位を低下させることなく、小型で、低コストで、記録紙の搬送速度を変えることのできるプリンタ装置を提供する。【解決手段】記録紙を搬送するプラテンローラと、前記プラテンローラの回転軸に接続された第１のプーリと、モータと、前記モータの回転軸に接続された第２のプーリと、前記第１のプーリと前記第２のプーリの外周に取り付けられたベルトと、を有し、前記第１のプーリまたは前記第２のプーリの径が可変であることを特徴とするプリンタ装置を提供することにより上記課題を解決する。【選択図】  図５
2016221911.tif 000002
【特許請求の範囲】
【請求項１】
記録紙を搬送するプラテンローラと、
前記プラテンローラの回転軸に接続された第１のプーリと、
モータと、
前記モータの回転軸に接続された第２のプーリと、
前記第１のプーリと前記第２のプーリの外周に取り付けられたベルトと、
を有し、
前記第１のプーリまたは前記第２のプーリの径が可変であることを特徴とするプリンタ装置。
【請求項２】
前記第１のプーリまたは前記第２のプーリは、枠と、前記枠の外周に前記枠の径方向に可動に設けられて前記ベルトと接する拡張部と、一端が前記拡張部に接続されているアームと、前記アームの他端と接続するスイッチとを有し、
前記スイッチが押された際、前記アームが広がることで前記拡張部が前記枠の外側に広がり、前記第１のプーリまたは前記第２のプーリの径が拡張することを特徴とする請求項１に記載のプリンタ装置。
【請求項３】
前記第１のプーリまたは前記第２のプーリは、枠と、前記枠の外周に前記枠の径方向に可動に設けられ、前記ベルトと接する拡張部と、前記枠の回転軸方向に移動可能なシャフトとを有し、
各々の前記拡張部には、第１の磁石が取り付けられており、
前記シャフトには、第２の磁石が取り付けられており、
前記シャフトの前記回転軸方向の移動に応じた前記第２の磁石と前記第１の磁石との反発あるいは吸引により、前記拡張部が前記枠の径方向に移動し、前記第１のプーリまたは前記第２のプーリの径が変化することを特徴とする請求項１に記載のプリンタ装置。
【請求項４】
前記第１のプーリまたは前記第２のプーリは、枠と、前記枠の外周に設けられ、前記ベルトと接する拡張部と、前記枠の中心部分に設けられ、外周が前記拡張部の内径側の端部と接しているメタルドームとを有し、
前記メタルドームが押された際、前記メタルドームの外周が広がって各々の前記拡張部の端部を押し、前記拡張部が前記枠の外側に広がり、前記第１のプーリまたは前記第２のプーリの径が拡張することを特徴とする請求項１に記載のプリンタ装置。
【請求項５】
前記第１のプーリまたは前記第２のプーリは、前記ベルトと接する扇状の拡張部と、前記拡張部の内径側の端と接する、径の異なる円板が同軸上に重ねられている変速部材とを有しており、
前記拡張部の内側の端が接する円板の径に応じて、前記拡張部が外側に広がり、前記第１のプーリまたは前記第２のプーリの径が拡張することを特徴とする請求項１に記載のプリンタ装置。
【請求項６】
記録紙を搬送するプラテンローラと、
前記プラテンローラの回転軸に接続された第１のプーリと、
モータと、
前記モータの回転軸に接続された第２のプーリと、
前記第１のプーリの外周及び前記第２のプーリの外周と、外周が接している第３のプーリと、
を有し、
前記第１のプーリの外周には、一方の面から他方の面に向かって径が徐々に大きくなる傾斜部が設けられており、
前記第２のプーリの外周には、一方の面から他方の面に向かって径が徐々に小さくなる傾斜部が設けられており、
前記第１のプーリの他方の面及び前記第２のプーリの他方の面が、前記プラテンローラ及び前記モータの側となるように設置されており、前記第１のプーリの傾斜部及び前記第２のプーリの傾斜部との前記第３のプーリの外周の接触位置を変えることにより、前記プラテンローラの回転数を変化させることを特徴とするプリンタ装置。
【発明の詳細な説明】
【技術分野】
【０００１】
本発明は、プリンタ装置に関する。
【背景技術】
【０００２】
記録紙に印字等を行うプリンタ装置では、記録紙を搬送しながら印字ヘッドにより記録紙に印字等を行う。このようなプリンタは、商店等のレジスタ、銀行等におけるＡＴＭ（Automated Teller Machine）やＣＤ（Cash dispenser）等の用途に幅広く用いられている。
【０００３】
プリンタでは、印字ヘッドとプラテンローラとの間に記録紙を挟んだ状態でプラテンローラを回転させることにより記録紙が搬送され、印字ヘッドにより印字がなされる。
【先行技術文献】
【特許文献】
【０００４】
【特許文献１】実開平６−３９４４５号公報
【特許文献２】特開２００２−３７０４１１号公報
【発明の概要】
【発明が解決しようとする課題】
【０００５】
記録紙を搬送するプラテンローラを、ステッピングモータの回転をベルトにより伝達して回転させるプリンタが存在する。図１は、ステッピングモータの回転をベルトによりプラテンローラに伝達するプリンタを図示する。図１（ａ）は上面図であり、図１（ｂ）は側面図である。図１に示されるように、プラテンローラ９１０の回転軸９１１に取り付けられたプーリ９３０と、ステッピングモータ９２０の回転軸９２１に取り付けられたプーリ９４０とに、ベルト９５０が巻かれており、ステッピングモータ９２０が回転するとプーリ９４０が回転し、ベルト９５０を介してプーリ９３０が回転し、プーリ９３０の回転が回転軸９１１を介してプラテンローラ９１０に伝達され、プラテンローラ９１０が回転する。
【０００６】
ところで、一つのプリンタ装置で、記録紙の搬送速度を変えて印字を行うことが求められる場合がある。例えば、図１に示されるステッピングモータ９２０の回転速度を変化させることによりプラテンローラ９１０の回転数を変えて、記録紙の搬送速度を変えることができる。しかしながら、この方法では、ステッピングモータ９２０の低速動作による発熱や、消費電力の増大の他、低速パルス駆動により動作ノイズ音が大きくなったり、ステッピングモータ９２０におけるステップの際の戻りにより印字品位の低下等が生じるため、好ましくない。
【０００７】
また、プラテンローラの回転数を変えるためのギアボックスを設け、噛み合わせるギアの組み合わせを変えることにより、記録紙の搬送速度を変える方法がある。しかしながら、ギアボックスが必要となり、大型化及び高コスト化するため、好ましくない。
【０００８】
よって、印字品位を低下させることなく、小型で、低コストで、記録紙の搬送速度を変えることのできるプリンタ装置が求められている。
【課題を解決するための手段】
【０００９】
本実施の形態の一観点によれば、記録紙を搬送するプラテンローラと、前記プラテンローラの回転軸に接続された第１のプーリと、モータと、前記モータの回転軸に接続された第２のプーリと、前記第１のプーリと前記第２のプーリの外周に取り付けられたベルトと、を有し、前記第１のプーリまたは前記第２のプーリの径が可変であることを特徴とする。
【発明の効果】
【００１０】
開示のプリンタ装置によれば、印字品位を低下させることなく、小型で、低コストで、記録紙の搬送速度を変えることができる。
【図面の簡単な説明】
【００１１】
【図１】ステッピングモータとプラテンローラの説明図
【図２】第１の実施の形態におけるプリンタ装置の説明図
【図３】第１の実施の形態におけるプリンタ装置の要部上面図
【図４】第１の実施の形態におけるプリンタ装置の要部側面図
【図５】第１の実施の形態における第１のプーリの斜視図
【図６】第１の実施の形態におけるアームの分解斜視図
【図７】第１の実施の形態におけるアームの斜視図
【図８】第１の実施の形態におけるプーリ径拡張部の斜視図
【図９】第２の実施の形態におけるプリンタ装置の要部斜視図
【図１０】第２の実施の形態におけるプリンタ装置の要部側面図
【図１１】第２の実施の形態における第１のプーリの説明図
【図１２】第３の実施の形態におけるプリンタ装置の要部斜視図
【図１３】第３の実施の形態におけるプリンタ装置の要部上面図
【図１４】第３の実施の形態におけるプリンタ装置の要部側面図
【図１５】第３の実施の形態における第１のプーリの説明図（１）
【図１６】第３の実施の形態における第１のプーリの説明図（２）
【図１７】第４の実施の形態におけるプリンタ装置の要部斜視図
【図１８】第４の実施の形態におけるプリンタ装置の要部側面図（１）
【図１９】第４の実施の形態におけるプリンタ装置の要部側面図（２）
【図２０】第４の実施の形態における第１のプーリの説明図（１）
【図２１】第４の実施の形態における第１のプーリの説明図（２）
【図２２】第５の実施の形態におけるプリンタ装置の説明図（１）
【図２３】第５の実施の形態におけるプリンタ装置の説明図（２）
【図２４】第５の実施の形態におけるプリンタ装置の説明図（３）
【発明を実施するための形態】
【００１２】
本発明を実施するための形態について、以下に説明する。尚、同じ部材等については、同一の符号を付して説明を省略する。
【００１３】
〔第１の実施の形態〕
第１の実施の形態におけるプリンタ装置について説明する。
【００１４】
本実施の形態におけるプリンタ装置は、図２に示されるように、不図示のサーマルヘッド、プラテンローラ１０、ステッピングモータ２０を有している。プラテンローラ１０の回転軸１１には第１のプーリ３０が取り付けられており、ステッピングモータ２０の回転軸２１には第２のプーリ４０が取り付けられており、第１のプーリ３０と第２のプーリ４０の外周にはベルト５０が巻かれている。これにより、ステッピングモータ２０が回転すると第２のプーリ４０が回転し、ベルト５０を介して第１のプーリ３０が回転して、プラテンローラ１０が回転する。
【００１５】
サーマルヘッドは、プラテンローラ１０に押さえ付けられるように設置されており、記録紙は、サーマルヘッドとプラテンローラ１０との間を通る。プラテンローラ１０が回転することにより記録紙が搬送され、サーマルヘッドにより印字がなされる。また、本実施の形態によるプリンタ装置には記録紙を切断するための不図示のカッターが設けられており、カッターを駆動するためのモータ６０も搭載されている。
【００１６】
本実施の形態におけるプリンタ装置について、図２から図４に基づき、より詳細に説明する。図３は、本実施の形態におけるプリンタ装置の上面図であり、図４は側面図である。
【００１７】
本実施の形態におけるプリンタ装置に用いられている第１のプーリ３０は、プーリ枠３１、プーリ径拡張部（以下「拡張部」）３２、アーム３３、押しボタン式のスイッチ３４が設けられている。プーリ枠３１は略円形に形成されており、複数の拡張部３２がプーリ枠３１の外側に広がるように移動可能に設置されている。拡張部３２は、第１のプーリ３０の径を拡張する機能を持つ。また、各々の拡張部３２は、第１のプーリ３０の中心部分から伸びるアーム３３の一方の端部が接続されている。アーム３３の他方の端部は、第１のプーリ３０の中心部に設けられたスイッチ３４と接続されている。第１のプーリ３０の周囲に巻かれているベルト５０は、後述する拡張部３２のベルト接触部３２ｂと接触している。拡張部３２及びアーム３３は、金属材料または樹脂材料により形成されており、ベルト５０はゴム等の伸縮性を有する材料により形成されている。尚、図３及び図４に示される第１のプーリ３０には、拡張部３２及びアーム３３は各々５つ設けられているが、この数には限定されない。尚、拡張部３２は３つ以上あることが好ましい。
【００１８】
本実施の形態におけるプリンタ装置において、スイッチ３４が押されていない状態では、図４（ａ）に示されるように、プーリ枠３１の外周部と拡張部３２とが接している。この状態における第１のプーリ３０の径は、例えば、φ３０ｍｍである。図４（ｂ）は、本実施の形態におけるプリンタ装置において、スイッチ３４が押された状態を示す。押しボタン式のスイッチ３４を押すことにより、押しボタン式のスイッチ３４に接続されているアーム３３の一方の端部が第１のプーリ３０の外径側に広がる。これに伴い、アーム３３の一方の端部に接続されている拡張部３２がプーリ枠３１から離れ外側に広がる。図４（ｂ）の状態における第１のプーリ３０の径は、例えば、φ４０ｍｍである。
【００１９】
ステッピングモータ２０の回転軸２１に取り付けられている第２のプーリ４０の径は、例えば、φ２０ｍｍである。プラテンローラ１０の回転軸１１に取り付けられている第１のプーリ３０の径がφ３０ｍｍの場合には、プラテンローラ１０の回転により搬送される記録紙の搬送速度は、例えば、５０ｍｍ／ｓである。
【００２０】
一方、スイッチ３４を押すことにより拡張部３２が広がり、第１のプーリ３０の径がφ４０ｍｍとなった場合には、プラテンローラ１０の回転による記録紙の搬送速度は、ステッピングモータ２０の回転数を変えることなく、例えば、３７．５ｍｍ／ｓとなる。従って、本実施の形態においては、ステッピングモータ２０の回転数を変えることなく、記録紙の搬送速度を変えることができる。
【００２１】
即ち、本実施の形態においては、スイッチ３４を押した際に拡張部３２が広がって第１のプーリの径を変えることにより、記録紙の搬送速度を変えることができる。図４（ｂ）に示す状態で記録紙の搬送速度を高くする場合には、例えば、もう一度スイッチ３４を押してスイッチ３４を元に戻す操作を行うことにより、図４（ａ）に示されるように、ベルト５０の張力により拡張部３２が元の位置に戻り、第１のプーリ３０の径が小さくなる。
【００２２】
尚、本実施の形態によるスイッチ３４は、一度押すと外側に開いた状態にアーム３３を支持し、もう一度押すことでアーム３３の支持状態が解除される。
【００２３】
次に、第１のプーリ３０の構造について、図５から図８に基づきより詳細に説明する。
【００２４】
図５から図７に示すように、アーム３３は、第１のアーム部材３５と、第２のアーム部材３６とを有している。第１のアーム部材３５の一方の端部近傍には円形の貫通穴３５ａが設けられている。また、第１のアーム部材３５の他方の端部近傍に設けられた円形の貫通穴３５ｂと第２のアーム部材３６の一方の端部近傍に設けられた円形の貫通穴３６ａとは、円柱形の接合部材３７により、第１のアーム部材３５に対し第２のアーム部材３６が回動可能な状態で接続されている。第２のアーム部材３６の他方の端部３６ｂはスイッチ３４と接続されている。
【００２５】
第１のアーム部材３５に設けられた貫通穴３５ａは、図８に示される拡張部３２の内径側に設けられた貫通穴３２ａと、図５に示される円柱形の接合部材３８により、拡張部３２に対し第１のアーム部材３５が回動可能な状態で接続されている。拡張部３２には、外径側にベルト５０と接触する円弧状のベルト接触部３２ｂが形成されている。
【００２６】
本実施の形態においては、スイッチ３４を押すことにより、第２のアーム部材３６がプーリ枠３１に近づく方向に動き、これに伴い、第１のアーム部材３５が接合部材３７を中心に回動して拡張部３２を外径側に押す。これにより、拡張部３２が第１のプーリ３０の外径側にスライドして広がり、第１のプーリ３０の径を大きくすることができ、記録紙の搬送速度を遅くすることができる。
【００２７】
尚、本実施の形態においては、第１のプーリ３０の径を変える場合について説明したが、第２のプーリ４０の径を変える構造のものであってもよい。
【００２８】
〔第２の実施の形態〕
次に、第２の実施の形態について説明する。図９は、本実施の形態におけるプリンタ装置の要部斜視図であり、図１０は側面図であり、図１１は、第１のプーリ１３０の断面図である。
【００２９】
本実施の形態におけるプリンタ装置は、図９に示されるように、プラテンローラ１０、ステッピングモータ２０を有している。プラテンローラ１０の回転軸１１には第１のプーリ１３０が取り付けられており、ステッピングモータ２０の回転軸２１には第２のプーリ４０が取り付けられており、第１のプーリ１３０と第２のプーリ４０の外周にはベルト５０が巻かれている。
【００３０】
ステッピングモータ２０が回転すると第２のプーリ４０が回転し、ベルト５０を介して、第１のプーリ１３０が回転してプラテンローラ１０が回転する。
【００３１】
本実施の形態におけるプリンタ装置について、図９及び図１０に基づき、より詳細に説明する。本実施の形態における第１のプーリ１３０は、プーリ枠１３１、プーリ径拡張部（以下「拡張部」）１３２、端部に押しボタン式スイッチが設けられたシャフト１３４を有している。プーリ枠１３１は略円形に形成されており、複数の拡張部１３２が設置されている。各々の拡張部１３２には、第１のプーリ１３０の内側に伸びる支持部１３３が設けられている。拡張部１３２は、支持部１３３が第１のプーリ１３０の半径方向にスライド可能な状態で、プーリ枠１３１に取り付けられている。第１のプーリ１３０の中心部には、シャフト１３４が設けられている。
【００３２】
本実施の形態においては、図１１に示すように、シャフト１３４は、第１のプーリ１３０のプーリ枠１３１の回転軸方向に移動可能である。シャフト１３４には、永久磁石１３５が、シャフト１３４の伸びる方向に沿って図示下側からＳ極、Ｎ極の順となるように組み込まれている。また、支持部１３３には、永久磁石１３６が、第１のプーリ１３０の内径側がＮ極、外径側がＳ極となるように組み込まれている。
【００３３】
本実施の形態によるプリンタ装置において、シャフト１３４に設けられたスイッチが押されていない状態においては、図１１（ａ）に示されるように、シャフト１３４に取り付けられている永久磁石１３５のＳ極は、プーリ枠１３１の内部の中央部分に入り込んでおり、Ｎ極はＳ極よりもプーリ枠１３１の回転軸方向外側にある。この状態においては、永久磁石１３５のＳ極と支持部１３３に取り付けられている永久磁石１３６のＮ極とが引き合うため、図１０（ａ）に示されるように、拡張部１３２はプーリ枠１３１と接し、第１のプーリ１３０の径は小さい状態となる。
【００３４】
一方、シャフト１３４に設けられたスイッチをプラテンローラ１０側に押すことにより、図１１（ｂ）に示されるように、シャフト１３４に取り付けられている永久磁石１３５のＮ極がプーリ枠１３１の内部の中央部分に入り込み、Ｓ極はプーリ枠１３１の回転軸方向外側に移動する。この状態においては、永久磁石１３５のＮ極と支持部１３３に取り付けられている永久磁石１３６のＮ極とが反発しあうため、図１０（ｂ）に示されるように、拡張部１３２が第１のプーリ１３０の外径側に移動し、第１のプーリ１３０の径が広がった状態となる。
【００３５】
尚、シャフト１３４が図１０（ａ）の元の状態に戻ると、プーリ枠１３１の内部に永久磁石１３５のＳ極が中央部分に入り込むため、永久磁石１３５のＳ極と永久磁石１３６のＮ極とが引き合い、図１０（ａ）及び図１１（ａ）に示されるように、拡張部１３２がプーリ枠１３１と接する方向に移動し、第１のプーリ１３０の径は小さい状態となる。
【００３６】
本実施の形態においては、シャフト１３４に設けられたスイッチを押した際に拡張部１３２を広げて第１のプーリ１３０の径を大きくすることにより、記録紙の搬送速度を変えることができる。尚、図９〜図１１において、第１のプーリ１３０には拡張部１３２が５つ設けられているが、その数はこれに限られない。また、３つ以上の拡張部があることが好ましい。尚、上記以外の内容については、第１の実施の形態と同様である。
【００３７】
〔第３の実施の形態〕
次に、第３の実施の形態について説明する。尚、図１２は、本実施の形態におけるプリンタ装置の要部斜視図であり、図１３は上面図であり、図１４は側面図であり、図１５及び図１６は、第１のプーリ２３０の断面図である。
【００３８】
本実施の形態におけるプリンタ装置は、図１２及び図１３に示されるようにプラテンローラ１０、ステッピングモータ２０を有している。プラテンローラ１０の回転軸１１には第１のプーリ２３０が、ステッピングモータ２０の回転軸２１には第２のプーリ４０が取り付けられており、第１のプーリ２３０と第２のプーリ４０の外周にはベルト５０が巻かれている。
【００３９】
ステッピングモータ２０が回転すると第２のプーリ４０が回転し、ベルト５０を介して第１のプーリ２３０が回転し、プラテンローラ１０が回転する。
【００４０】
本実施の形態におけるプリンタ装置について、図１４から図１６に基づき、より詳細に説明する。本実施の形態における第１のプーリ２３０には、プーリ枠２３１、プーリ径拡張部２３２（以下「拡張部」）、メタルドーム２３５が設けられている。プーリ枠２３１は略円形に形成されており、プーリ枠２３１の外側に向けて移動可能な複数の拡張部２３２が取り付けられている。各々の拡張部２３２には、第１のプーリ２３０の内側に伸びる支持部２３３が設けられている。拡張部２３２は、支持部２３３が第１のプーリ２３０の半径方向にスライド可能となるように、プーリ枠２３１に取り付けられている。支持部２３３の内側の端部２３３ａは、メタルドーム２３５の外周２３５ａと接している。また、回転軸１１の延長線上には、メタルドーム２３５の中心部分を押す押しボタン式のスイッチ２３４が設けられている。
【００４１】
本実施の形態において、スイッチ２３４が押されていない状態においては、図１５に示されるように、スイッチ２３４はメタルドーム２３５と接触していない。そのため、図１５に示されるように、拡張部２３２はプーリ枠２３１と接しており、第１のプーリ２３０の径が小さい状態となる。
【００４２】
スイッチ２３４を押すと、図１６に示されるように、押しボタン式のスイッチ２３４によりメタルドーム２３５の中心部分が押されて、メタルドームの外周２３５ａが外側に広がる。メタルドーム２３５の外周２３５ａが広がることにより、外周２３５ａと接している支持部２３３の内側の端部２３３ａが押され、図１４（ｂ）及び図１６に示されるように、拡張部２３２が外径側に広がり、第１のプーリ２３０の径が広がる。尚、スイッチ２３４が元の状態に戻ると、メタルドーム２３５を押している力もなくなるため、メタルドーム２３５も元の状態に戻り、図１４（ａ）及び図１５に示されるように、第１のプーリ２３０は径の小さい状態に戻る。
【００４３】
本実施の形態においては、スイッチ２３４を押した際の拡張部２３２の広がる径の長さにより、記録紙の搬送速度を変えることができる。図１２〜図１６においては、第１のプーリ２３０には拡張部２３２が５つ設けられているが、この数には限らない。尚、拡張部の数は３つ以上であることが好ましい。上記以外の内容については、第１の実施の形態と同様である。
【００４４】
〔第４の実施の形態〕
次に、第４の実施の形態について説明する。尚、図１７は、本実施の形態におけるプリンタ装置の要部斜視図であり、図１８及び図１９は側面図であり、図２０及び図２１は、第１のプーリ３３０の断面図である。
【００４５】
本実施の形態におけるプリンタ装置は、図１７に示されるようにプラテンローラ１０、ステッピングモータ２０を有している。プラテンローラ１０の回転軸には第１のプーリ３３０が、ステッピングモータ２０の回転軸２１には第２のプーリ４０が取り付けられている。また、第１のプーリ３３０と第２のプーリ４０の外周にはベルト５０が巻かれている。
【００４６】
ステッピングモータ２０が回転すると第２のプーリ４０が回転する。第２のプーリ４０が回転することにより、ベルト５０を介して第１のプーリ３３０が回転し、プラテンローラ１０が回転する。
【００４７】
本実施の形態におけるプリンタ装置について、図１８から図２１に基づき、より詳細に説明する。
【００４８】
本実施の形態におけるプリンタ装置に用いられている第１のプーリ３３０には、プーリ径拡張部（以下「拡張部」）３３２、プーリ径拡張部接続部（以下「接続部」）３３３、押しボタン式のスイッチ３３４、変速部材３３６が設けられている。拡張部３３２は、円形のプーリを分割した扇状に形成されており、図１７から図２１に示すものは、円を５分割した扇状で形成されている。また、各々の拡張部３３２同士は、その中心部分に、ゴム等の弾性部材により形成された接続部３３３により接続されている。
【００４９】
また、第１のプーリ３３０の中心部分には、半径の異なる円板３３６ａ、３３６ｂを重ねた形状の変速部材３３６が設置されている。円板３３６ａの径は円板３３６ｂの径よりも小さく形成されており、円板３３６ｂと円板３３６ａとの中心軸が一致するように重ねられて、プラテンローラ１０側に円板３３６ａが位置するように取り付けられている。また、円板３３６ａと円板３３６ｂとの間には、徐々に径が変化する傾斜部が設けられている。変速部材３３６の円板３３６ａまたは円板３３６ｂの外周は、拡張部３３２の内径側の端と接している。また、変速部材３３６には、変速部材３３６をプラテンローラ１０側に押すためのスイッチ３３４が設けられている。
【００５０】
本実施の形態におけるプリンタ装置において、スイッチ３３４が押されていない状態においては、図１８及び図２０に示されるように、半径の小さな円板３３６ａの外周が拡張部３３２の内径側の端部と接触しており、第１のプーリ３３０の径は小さい状態となる。
【００５１】
また、押しボタン式のスイッチ３３４をプラテンローラ１０側に押すことにより、図１９及び図２１に示されるように、スイッチ３３４により押された変速部材３３６がプラテンローラ１０側に動いて、半径の大きな円板３３６ｂの外周が拡張部３３２の内径側の端部と接触し、拡張部３３２が外側に広がる。これにより、第１のプーリ３３０の径が広がる。尚、押しボタン式のスイッチ３３４が元の状態に戻ると、これに伴い変速部材３３６も元の状態に戻り、図１８及び図２０に示されるように、第１のプーリ３３０の径は小さくなる。
【００５２】
本実施の形態においては、押しボタン式のスイッチ３３４を押した際に拡張部２３２の広がる長さにより、記録紙の搬送速度を変えることができる。図１７〜図２１に示される第１のプーリ３３０においては、拡張部３３２は、５つ設けられているが、３つ以上であればよい。
【００５３】
〔第５の実施の形態〕
次に、第５の実施の形態について説明する。尚、図２２（ａ）は、本実施の形態におけるプリンタ装置の要部斜視図であり、図２２（ｂ）、（ｃ）は、図２２（ａ）において左側より見た、即ち、カバー４６０の外側より見たカバー４６０に設けられた開口部４６３におけるレバー４７０の他方の端部４７２の位置を示している。図２３及び図２４は、本実施の形態におけるプリンタ装置の要部の底面図である。
【００５４】
本実施の形態におけるプリンタ装置は、図２２（ａ）に示されるようにプラテンローラ１０、ステッピングモータ２０を有している。プラテンローラ１０の回転軸１１には第１のプーリ４３０が取り付けられており、ステッピングモータ２０の回転軸２１には第２のプーリ４４０が取り付けられている。第１のプーリ４３０と第２のプーリ４４０との間には、第３のプーリ４５０が設置されており、第３のプーリ４５０の外周は、第１のプーリ４３０の外周及び第２のプーリ４４０の外周と接している。
【００５５】
図２２から図２４に示すように、第１のプーリ４３０の外周には、プラテンローラ１０の側に近づくに伴い、即ち、第１のプーリ４３０の一方の面４３０ａから他方の面４３０ｂに向かって、徐々に径が大きくなるように傾斜する傾斜部４３１が形成されている。第２のプーリ４４０の外周には、ステッピングモータ２０の側に近づくに伴い、即ち、第２のプーリ４４０の一方の面４４０ａから他方の面４４０ｂに向かって、徐々に径が小さくなるように傾斜する傾斜部４４１が形成されている。従って、第１のプーリ４３０の傾斜部４３１と、第２のプーリ４４０の傾斜部４４１とは、傾斜が逆向きとなるように設置されている。また、第１のプーリ４３０の傾斜部４３１と、第２のプーリ４４０の傾斜部４４１とは、傾斜角度が同じとなるように形成されており、第３のプーリ４５０の外周が傾斜部４３１及び傾斜部４４１の双方と接するように設置されている。
【００５６】
これにより、ステッピングモータ２０が回転すると第２のプーリ４４０が回転し、第２のプーリ４４０の外周の傾斜部４４１と接している第３のプーリ４５０が回転する。そして、傾斜部４３１と接している第１のプーリ４３０が回転し、プラテンローラ１０が回転する。
【００５７】
第１のプーリ４３０及び第２のプーリ４４０の外側に設けられたカバー４６０には、プラテンローラ１０の中心軸方向に伸びるシャフト４６１が設けられている。シャフト４６１は、レバー４７０の中央部分に、シャフト４６１の端の接続部４６２が回動可能な状態で接続されている。第３のプーリ４５０の中心軸に設けられたシャフト４５１は、回転可能な状態で、レバー４７０の一方の端部に設けられた接続部４７１と接続されている。また、シャフト４５１は、シャフト４６１に接続された支持部４５２及び４５３により、シャフト４５１が回転可能な状態で支持されている。尚、カバー４６０には図２２（ａ）図示左右方向に延びるスリットが形成されており、第１のプーリ４３０及び第２のプーリ４４０とプラテンローラ１０及びステッピングモータ２０との間の壁面４６５には図２２（ａ）図示左右方向に延びるスリットが形成されており、シャフト４５１は、これらのスリットに、スリットの延長方向に移動可能に挿通されている。レバー４７０の他方の端部４７２は、カバー４６０に設けられた長円形状の開口部４６３より外に突き出ており、カバー４６０の外より端部４７２を操作することができる。
【００５８】
図２２（ａ）に示す状態においては、第３のプーリ４５０は、プラテンローラ１０及びステッピングモータ２０より離れた位置、即ち、第１のプーリ４３０及び第２のプーリ４４０の一方の面側において、第１のプーリ４３０の外周及び第２のプーリ４４０の外周と接している。この状態においては、図２３にも示されるように、第３のプーリ４５０の外周は、第１のプーリ４３０とは、第１のプーリ４３０の外周の傾斜部４３１の径の小さな部分と接しており、第２のプーリ４４０とは、第２のプーリ４４０の外周の傾斜部４４１の径の大きな部分と接している。従って、ステッピングモータ２０の回転は、第２のプーリ４４０の傾斜部４４１の径の大きな部分と接している第３のプーリ４５０に伝達され、第３のプーリ４５０の回転は、第１のプーリ４３０の径の小さな部分を介し第１のプーリ４３０に伝達される。この状態においては、図２２（ｂ）に示されるように、レバー４７０の他方の端部４７２は、カバー４６０の外側から見た開口部４６３の右側に位置している。
【００５９】
本実施の形態においては、図２２（ｃ）に示されるように、開口部４６３において、レバー４７０の他方の端部４７２を左側（図２３図示右側）に動かすことにより、接続部４６２を支点として、レバー４７０が図２３の状態から図２４の状態に、図示左側に回動する。これにより、接続部４７１がシャフト４５１に沿って図示左側に移動する。この際、接続部４６２と接続部４７１との距離は図２３の状態でも図２４の状態でも同一であるため、レバー４７０によってシャフト４５１がシャフト４６１より離れる方向に押される。これにより、シャフト４６１とシャフト４５１との間隔が、図２３に示す状態よりも広がり、第１のプーリ４３０及び第２のプーリ４４０に接している第３のプーリ４５０はシャフト４５１の移動に応じてプラテンローラ１０及びステッピングモータ２０の側に近づき、第１のプーリ４３０及び第２のプーリ４４０の他方の面側において、第１のプーリ４３０の外周及び第２のプーリ４４０の外周と接している状態となる。
【００６０】
具体的には、この状態においては、第３のプーリ４５０の外周は、第１のプーリ４３０とは、第１のプーリ４３０の外周の傾斜部４３１の径の大きな領域と接しており、第２のプーリ４４０とは、第２のプーリ４４０の外周の傾斜部４４１の径の小さな領域と接している。従って、ステッピングモータ２０の回転は、第２のプーリ４４０の傾斜部４４１の径の小さな領域と接している第３のプーリ４５０に伝達され、第３のプーリ４５０の回転は、第１のプーリ４３０の径の大きな領域を介し第１のプーリ４３０に伝達される。これにより、図２２（ａ）及び図２３に示す状態よりも、プラテンローラ１０の回転数を低くすることができ、記録紙の搬送速度を遅くすることができる。尚、上記以外の内容については、第１の実施の形態と同様である。
【００６１】
以上、本発明の実施に係る形態について説明したが、上記内容は、発明の内容を限定するものではない。
【符号の説明】
【００６２】
１０        プラテンローラ
１１        回転軸
２０        ステッピングモータ
２１        回転軸
３０        第１のプーリ
３１        プーリ枠
３２        プーリ径拡張部
３２ａ      貫通穴
３２ｂ      ベルト接触部
３３        アーム
３４        押しボタン式のスイッチ
３５        第１のアーム部材
３５ａ      貫通穴
３５ｂ      貫通穴
３６        第２のアーム部材
３６ａ      貫通穴
３６ｂ      他方の端部
３７        接合部材
４０        第２のプーリ
５０        ベルト
【図１】
2016221911.tif 000003
【図２】
2016221911.tif 000004
【図３】
2016221911.tif 000005
【図４】
2016221911.tif 000006
【図５】
2016221911.tif 000007
【図６】
2016221911.tif 000008
【図７】
2016221911.tif 000009
【図８】
2016221911.tif 000010
【図９】
2016221911.tif 000011
【図１０】
2016221911.tif 000012
【図１１】
2016221911.tif 000013
【図１２】
2016221911.tif 000014
【図１３】
2016221911.tif 000015
【図１４】
2016221911.tif 000016
【図１５】
2016221911.tif 000017
【図１６】
2016221911.tif 000018
【図１７】
2016221911.tif 000019
【図１８】
2016221911.tif 000020
【図１９】
2016221911.tif 000021
【図２０】
2016221911.tif 000022
【図２１】
2016221911.tif 000023
【図２２】
2016221911.tif 000024
【図２３】
2016221911.tif 000025
【図２４】
2016221911.tif 000026